(57)【要約】【課題】ゴム弾性体の、補強プライの側縁と対応する部分への亀裂の発生を有効に抑制することができるゴムクローラを提供する。【解決手段】無端状に延在するゴム弾性体内に、クローラ周方向に沿って延在する複数本のスチールコードからなるスチールコード層５と、その外周側に、複数本のコードからなる一層以上の補強プライ８と、ゴム弾性体の外周面側に所定の間隔をおいて形成されて路面に作用するラグ９とを具え、少なくとも一層の補強プライ８の、ラグ９の少なくとも一方の側縁部分と対応する領域に、切欠き部１０を設けてなることを特徴とする。【選択図】図２
2011046359.tif 000002
【特許請求の範囲】
【請求項１】
無端状に延在するゴム弾性体内に、クローラ周方向に沿って延在する複数本のスチールコードからなるスチールコード層と、その外周側に、複数本のコードからなる一層以上の補強プライと、ゴム弾性体の外周面側に所定の間隔をおいて形成されて路面に作用するラグとを具える芯金レスゴムクローラにおいて、
少なくとも一層の補強プライの、ラグの少なくとも一方の側縁部分と対応する領域に、切欠き部を設けてなることを特徴とする芯金レスゴムクローラ。
【請求項２】
切欠き部を、最外層補強プライに設けてなる請求項１に記載の芯金レスゴムクローラ。
【請求項３】
切欠き部は、クローラ周方向でラグを跨いで位置させるとともに、クローラ幅方向で、切欠き部を設けた補強プライの最大幅位置からクローラ幅方向内側に５ｍｍの位置から、クローラ内表面の転輪通過面の、クローラ幅方向外端と対応する位置までの範囲内に配置してなる請求項１または２に記載の芯金レスゴムクローラ。
【請求項４】
補強プライのそれぞれの側縁部分に切欠き部を設け、前記切欠き部を千鳥状に配置してなる請求項１〜３のいずれかに記載の芯金レスゴムクローラ。
【発明の詳細な説明】
【技術分野】
【０００１】
本発明は、無端状の芯金レスゴムクローラに関するものであり、特には、ゴムクローラの側部が、ラグをもって縁石等に乗り上げた場合の、ゴム弾性体の側縁部分の変形に起因して、そのラグ、ひいては、ゴム弾性体への亀裂の発生を防止する技術を提案するものである。
【背景技術】
【０００２】
従来の芯金レスゴムクローラでは、例えば、それの側部で縁石等に乗り上げたりした場合は、ゴムクローラ、直接的にはゴム弾性体の側縁部分が、外周面側から内周面側に反る向きの曲げ変形を受けることになり、このような曲げ変形に当たっては、ゴム弾性体は、そこに埋設した、耐張部材としての補強プライの側縁近傍に応力集中を受けることになる。
【０００３】
このような芯金レスゴムクローラは、図３に補強プライとラグとの相対位置を透過平面図で例示するように、補強プライが、ラグの側縁部分と対応する領域付近まで埋設されていたため、縁石等に乗り上げて、特にラグに曲げ変形による大きな歪が発生すると、このラグの内周に位置する補強プライのコード端部に応力が集中して、いわゆる端部クラックを発生するおそれがあった。
【０００４】
これがため、例えば特許文献１に記載のようにゴム弾性体内のバイアスコードの先端部を折り曲げて、コードの端部を歪の集中する部位から隔離したり、特許文献２に記載のように、帆布によって補強プライのクローラ幅方向の端部側を覆うようにして、クローラ本体がクローラ幅方向に屈曲して、補強層がクローラ幅方向に曲げられる時に、補強層に、帆布のクローラ幅方向への反力を働かせて、クローラの横剛性を向上させる技術が提案されている。
【０００５】
しかるに、このような技術では折り曲げ部や帆布を必要とするため、それら部材によるコストやクローラの重量が増加するおそれがあった。
【先行技術文献】
【特許文献】
【０００６】
【特許文献１】特開２００６−１５１０２１号公報
【特許文献２】特開２００２−３２１６６７号公報
【発明の概要】
【発明が解決しようとする課題】
【０００７】
そこで、この発明は、他の部材を設けることなく、ゴム弾性体の、補強プライの側縁と対応する部分への亀裂の発生を有効に抑制することができるゴムクローラを提供することにある。
【課題を解決するための手段】
【０００８】
この発明にかかる芯金レスゴムクローラは、無端状に延在するゴム弾性体内に、クローラ周方向に沿って延在する複数本のスチールコードからなるスチールコード層と、その外周側に、複数本のコードからなる一層以上の補強プライと、ゴム弾性体の外周面側に所定の間隔をおいて形成されて路面に作用するラグとを具えるものであって、少なくとも一層の補強プライの、ラグの少なくとも一方の側縁部分と対応する領域に、切欠き部を設けてなることを特徴とするとするものである。
【０００９】
このようなゴムクローラでより好ましくは、切欠き部を、最外層補強プライに設ける。
また好ましくは、切欠き部を、クローラ周方向でラグを跨いで位置させるとともに、クローラ幅方向で、切欠き部を設けた補強プライの最大幅位置から、クローラ内表面の転輪通過面の、クローラ幅方向外端と対応する位置までの範囲内に配置させる。
【００１０】
ところで、補強プライのそれぞれの側縁部分に切欠き部を設け、前記切欠き部を千鳥状に配置させる。
【発明の効果】
【００１１】
本発明の芯金レスゴムクローラでは、少なくとも一層の補強プライの、ラグの少なくとも一方の側縁部分と対応する領域に、切欠き部を設けることで、縁石等に乗り上げて、ラグの側縁部分周辺が大変形した場合であっても、その領域と対応する位置に補強プライのコード端部が存在せず、クローラ幅方向の面外曲げ剛性を低減することができるため、その領域でのゴム弾性体と補強プライとの歪の集中および応力集中を有効に緩和して、補強プライの周方向張力を確保してなお、端部クラックを抑制することができる。
【図面の簡単な説明】
【００１２】
【図１】本発明の芯金レスゴムクローラの一の実施形態を示す断面斜視図である。
【図２】図１のクローラに設けた補強プライとラグとの相対位置を透過平面図である。
【図３】従来の芯金レスゴムクローラに設けた補強プライとラグとの相対位置を透過平面図である。
【図４】芯金レスゴムクローラの側縁部分が曲げ変形を受けた状態を示す図である。
【発明を実施するための形態】
【００１３】
以下に、図面を参照しながら本発明のする芯金レスゴムクローラを詳細に説明する。
図１は、本発明の一の実施形態を、アイドラー側の一部について示す断面斜視図であり、図２は、図１のクローラに設けた補強プライとラグとの相対位置を透過平面図である。
【００１４】
図中１は芯金レスゴムクローラ全体を、２は、無端状に延在するゴム弾性体からなる芯金レスゴムクローラ本体を、３は、このクローラ本体２の内周面に、周方向に所定のピッチで、クローラ幅方向の中央部に配設した駆動用突起を、４は、クローラ本体２の内周面上で転動するアイドラーをそれぞれ示す。
【００１５】
クローラ本体２内には、スチールコードが周方向に沿って平行に埋設されたスチールコード層５と、その外周側には、図ではクローラ周方向に傾斜するコードからなる二層のコード交錯層６と、クローラ幅方向に延在する一層のラジアル層７とからなる、三層の補強プライ８が配設される。
【００１６】
また、クローラ本体２の外周面には、路面に作用する凸状のラグ９が、周方向に所定の間隔をおいて形成される。
【００１７】
クローラ本体２、駆動用突起３およびラグ９は、例えば、耐候性に優れたエチレン−プロピレン−ジエンゴムを配合したゴム材料で構成することができ、また、補強プライ８としては、例えば、スチールコードや有機繊維コードのような引っ張り強度の高いコードで構成することができる。
【００１８】
そしてこの芯金レスゴムクローラ１では、少なくとも一層の補強プライ、図ではラジアル層７の、ラグの少なくとも一方、図では両方の側縁部分と対応する領域に、切欠き部１０を、例えば千鳥状に設ける。
【００１９】
このような芯金レスゴムクローラ１でより好ましくは、切欠き部１０を、最外層に位置するラジアル層７に設けることで、最もラグ側に近い補強層であるラジアル層７にラグ側から垂直な方向に力に起因する端部クラックを抑制することができる。
【００２０】
また好ましくは、切欠き部１０は、クローラ周方向の長さｃがラグ９を跨いで位置させて、クローラ幅方向の長さｗが、切欠き部１０を設けた補強プライの最大幅位置からクローラ幅方向内側に５ｍｍの位置から、クローラ内表面の転輪通過面の、クローラ幅方向外端と対応する位置までの範囲内、より好ましくは、クローラの側縁からクローラ幅方向に測って１００〜１１０ｍｍの範囲で位置させる。
【００２１】
この切欠き部１０は、クローラ周方向の長さｃがラグ９を跨いで位置させることで、剛性の高いラグ９と対応する領域に存在するラジアル層７を切欠いて、その領域全体の剛性を下げるとともに、端部クラックの起点となり易いラジアル層７を端部クラックが発生し難い位置で、クローラを補強することができる。
クローラ幅方向の長さｗが、切欠き部１０を設けた補強プライ８の最大幅位置からクローラ幅方向内側に５ｍｍの位置から、クローラ内表面の転輪通過面の、クローラ幅方向外端と対応する位置までの範囲の位置では、図４に芯金レスゴムクローラの側縁部分が曲げ変形を受けた状態を示すように、ゴムクローラ本体部２は転輪通過面よりクローラ幅方向外側の領域で曲げ変形を受けることが多く、その領域でのゴム弾性体と補強プライ８との歪の集中および応力集中を緩和するとともに、転輪で負荷される転輪通過面を補強プライ８で補強をすることで、端部クラックの発生を防ぐことができる。
【００２２】
ところで、補強プライのそれぞれの側縁部分の切欠き部１０を千鳥状に配置することで、クローラ幅方向の面外曲げ入力により変形が起こりやすいラグと、変形が起こりにくいラグ間位置で剛性段差を低減することになり、振動や転がり抵抗の低下を抑制する。
また、切欠き部１０を特に装着外側に設けることが好ましく、この位置は特に縁石等に乗り上げて面外曲げ変形を受ける可能性が高いためである。
【符号の説明】
【００２３】
１    芯金レスゴムクローラ全体
２    芯金レスゴムクローラ本体
３    駆動用突起
４    アイドラー
５    スチールコード層
６    コード交錯層
７    ラジアル層
８    補強プライ
９    ラグ
１０  切欠き部
【図１】
2011046359.tif 000003
【図２】
2011046359.tif 000004
【図３】
2011046359.tif 000005
【図４】
2011046359.tif 000006